(57)【特許請求の範囲】
【請求項１】
フィルム基板（１）と、前記フィルム基板上に配置された少なくとも一つの導電性平面インターフェイス（２，１６）を有するインターフェイス式フィルム基板と、前記インターフェイスに接続されたマイクロ回路（４）とを含むチップ式電子装置であって、
・フィルム基板の厚みが７５μｍ未満で、好ましくは１０μｍから３０μｍの間であり、
・フィルム基板が８０％を超える破断伸びかつ／または８０未満のショア硬度かつ／または０℃未満のガラス転位温度Ｔｇかつ／または１３０℃未満の溶融温度を有するものであるか、または、フィルム基板が紙、織物、繊維またはセルロース材質から成ることを特徴とするチップ式電子装置。
【請求項２】
導電性インターフェイスは、アルミニウム、銅、または、ポリマー主成分もしくは導電性インクを有する導電性物質にある事を特徴とする、請求項１に記載のチップ式電子装置。
【請求項３】
導電性インターフェイスの厚みが５０μｍ未満である事を特徴とする、請求項１または２に記載のチップ式電子装置。
【請求項４】
フィルム基板（１）と、前記フィルム基板上に配置された少なくとも一つの導電性平面インターフェイス（２，１６）を有するインターフェイス式フィルム基板と、前記インターフェイスに接続されたマイクロ回路（４）とを含むチップ式電子装置であって、
フィルム基板の厚みが７５μｍ未満であり、導電性インターフェイスの厚みが５０μｍ未満である事を特徴とする、チップ式電子装置。
【請求項５】
フィルム基板（１）と、前記フィルム基板の上に配置された少なくとも一つの導電性平面インターフェイス（２，１６）を有するインターフェイス式フィルム基板と、前記インターフェイスに接続されたマイクロ回路（４）とを含むチップ式電子装置であって、更にフィルム基板の上に配置された補償フィルム（２２）を含んでおり、前記補償フィルムは凹部（２１，２３）を備え、その凹部の中に前記マイクロ回路（４）と、その接続部（７，８）及び被覆材料（１３）とが納められており、
フィルム基板の厚みが７５μｍ未満で、好ましくは１０μｍから３０μｍの間であり、
フィルム基板が８０％を超える破断伸びかつ／または８０未満のショア硬度かつ／または０℃未満のガラス転位温度Ｔｇかつ／または１３０℃未満の溶融温度を有するものであることを特徴とするチップ式電子装置。
【請求項６】
更にインターフェイス式フィルム基板の上に配置された補償フィルム（２２）を含んでおり、前記補償フィルムは凹部（２１，２３）を備え、その凹部の中に前記マイクロ回路（４）と、その接続部（７，８）及び被覆材料（１３）とが納められていることを特徴とする、請求項１から４のいずれか一つに記載の装置。
【請求項７】
被覆材料が少なくとも部分的に前記凹部で枠にはめられていることを特徴とする、請求項５または６に記載の装置。
【請求項８】
フィルム基板は特にＰＰ、ＰＥ、ＰＥＴの中から選ぶことができることを特徴とする、請求項１から７のいずれか一つに記載の装置。
【請求項９】
インターフェイスがアルミニウム製であることを特徴とする、請求項１から８のいずれか一つに記載の装置。
【請求項１０】
マイクロ回路が巻線の外に配置されていることを特徴とする、請求項１から９のいずれか一つに記載の装置。
【請求項１１】
フィルム基板は、アンテナ（６）の少なくとも一端をチップの近傍に導く為に、「ストラップ」（１１）と呼ばれるインターフェイス要素をもう一つの面に備えていることを特徴とする、請求項１から１０のいずれか一つに記載の装置。
【請求項１２】
マイクロ回路の所の巻線の幅は、マイクロ回路を僅かな長さの接続線で、直接、両端に接続できるように、他の部分よりも細くなっていることを特徴とする、請求項１から１１のいずれか一つに記載の装置。
【請求項１３】
マイクロ回路は、巻線の間で、直接、フィルム基板の上に配置されていることを特徴とする、請求項１から１２のいずれか一つに記載の装置。
【請求項１４】
マイクロ回路は、フィルム基板の角に、しかも直接、その上に配置されていることを特徴とする、請求項１から１３のいずれか一つに記載の装置。
【請求項１５】
インターフェイスが、８ｃｍを超える距離で、好ましくは５０ｃｍを超える距離で通信するに適したアンテナの巻線（２）を少なくとも一つ備えていることを特徴とする、請求項１から１４のいずれか一つに記載の装置。
【請求項１６】
インターフェイスが接続域（１６）を備えていることを特徴とする、請求項１から１５のいずれか一つに記載の装置。
【請求項１７】
被覆材料（１３）を少なくともマイクロ回路の、及びその接続線の、更に少なくともインターフェイス部分の上に備えていることを特徴とする、請求項１から１６のいずれか一つに記載の装置。
【請求項１８】
少なくとも一つの面の上に、少なくとも一つの保護／個性化層（２０）及び／または接着層（３０）を備えていることを特徴とする、請求項１から１７のいずれか一つに記載の装置。
【請求項１９】
フィルム基板（１０）の両側に配置された二つの導電表面で構成される共振コンデンサ（１６ａ，１７ｂ）を備えていることを特徴とする、請求項１から１８のいずれか一つに記載の装置。
【請求項２０】
コンデンサ（１６ａ，１７ｂ）がはめ合わせを備えていることを特徴とする、請求項１９に記載の装置。
【請求項２１】
内蔵コンデンサ及び／またはマイクロ回路の中に含まれた非常用アンテナを備えていることを特徴とする、請求項１から２０のいずれか一つに記載の装置。
【請求項２２】
マイクロ回路は、フィルム基板のアンテナ回路の故障の場合には、給電を行い、非常用アンテナを介して近傍で通信するに適していることを特徴とする、請求項２０に記載の装置。
【請求項２３】
請求項１から２２のいずれか一つに記載の装置（Ｄ）をカード本体（１９，２２）の上に固定しており、そのカード本体は、当該装置以上の、好ましくは少なくとも二倍の表面積を有していることを特徴とするチップ・カード（１８）。
【請求項２４】
二枚の外部シート（１８，１９，２０，３０）を有し、その二枚の間に請求項１から２２のいずれか一つに記載の装置が配置されていることを特徴とするチップ・カード（１８）。
【請求項２５】
空洞を備えたカード本体を含んでいるチップ・カード（１８）であって、請求項１から２２のいずれか一つに記載の装置を備え、マイクロ回路（４）は、空洞の中に配置され、フィルム基板とインターフェイスは空洞の外のカード本体の表面上に広がっていることを特徴とするチップ・カード。
【請求項２６】
フィルム基板と、少なくとも一つの平面インターフェイスとを備えたインターフェイス式フィルム基板と、前記インターフェイスに接続された少なくとも一つのマイクロ回路とを含むチップ式電子装置を実現する為の方法であって、前記方法の工程は、少なくとも一つのインターフェイス式フィルム基板を供給し、少なくとも一つのマイクロ回路をインターフェイス式フィルム基板の上に固定し、それをインターフェイスに接続することからなる方法であって、
フィルム基板の厚みが７５μｍ未満で、好ましくは１０μｍから３０μｍの間であり、
フィルム基板が８０％を超える破断伸びかつ／または８０未満のショア硬度かつ／または０℃未満のガラス転位温度Ｔｇかつ／または１３０℃未満の溶融温度を有するものであることを特徴とする方法。
【請求項２７】
フィルム基板と、少なくとも一つの平面インターフェイスとを備えたインターフェイス式フィルム基板と、前記インターフェイスに接続された少なくとも一つのマイクロ回路とを含むチップ式電子装置を実現する為の方法であって、前記方法の工程は、少なくとも一つのインターフェイス式フィルム基板を供給し、少なくとも一つのマイクロ回路をインターフェイス式フィルム基板の上に固定し、それをインターフェイスに接続することからなる方法であって、補償フィルムを前記フィルム基板の上に固定するという工程があり、前記補償フィルムにはマイクロ回路の設置に対応する少なくとも一つの凹部（２１，２３）があり、
フィルム基板の厚みが７５μｍ未満で、好ましくは１０μｍから３０μｍの間であり、
フィルム基板が８０％を超える破断伸びかつ／または８０未満のショア硬度かつ／または０℃未満のガラス転位温度Ｔｇかつ／または１３０℃未満の溶融温度を有するものであることを特徴とする方法。
【請求項２８】
更に補償フィルムを前記フィルム基板の上に固定するという工程があり、前記補償フィルムにはマイクロ回路の設置に対応する少なくとも一つの凹部（２１，２３）があるということを特徴とする、請求項２６に記載の方法。
【請求項２９】
補償フィルムが、マイクロ回路を固定する前に付着されることを特徴とする、請求項２７または２６に記載の方法。
【請求項３０】
補償フィルムの凹部にのみ被覆材料を流し込むことを特徴とする、請求項２７から２９のいずれか一つに記載の方法。
【請求項３１】
補償フィルムが、マイクロ回路の固定の後または被覆の後に、付着されることを特徴とする、請求項２７から３０のいずれか一つに記載の方法。
【請求項３２】
インターフェイス式フィルム基板をローラー（２４）の上に帯状に供給して、フィルム基板の張力に従った移送手段を用いて少なくとも一つの作業位置（２５，２６，２７）に向けて移送することを特徴とする、請求項２６から３１のいずれか一つに記載の方法。
【請求項３３】
マイクロ回路の接続を導線の超音波溶接によって行うことを特徴とする、請求項２６から３２のいずれか一つに記載の方法。
【請求項３４】
アルミニウム製の導線を使うことを特徴とする、請求項３３に記載の方法。
【請求項３５】
溶接に際しては、少なくとも、固定基準面の上のフィルム基板上のマイクロ回路の設置位置（ｚｐ）を覆うことを特徴とする、請求項３３または３４に記載の方法。
【請求項３６】
フィルム基板は吸引によって強く接着されることを特徴とする、請求項３５に記載の方法。
【請求項３７】
インターフェイスをフィルム基板の上にアルミニウム製版の技術によって実現することを特徴とする、請求項２６から３６のいずれか一つに記載の方法。
【請求項３８】
インターフェイス要素と埋め込み端子極を穿孔／機械的断裂によりフィルム基板を通して接続することを特徴とする、請求項２６から３７のいずれか一つに記載の方法。
【請求項３９】
更に、被覆材料（１３）を少なくともマイクロ回路とその接続部の上で付着させるという工程を含むことを特徴とする、請求項２６から３８のいずれか一つに記載の方法。
【請求項４０】
補償フィルムの穿孔によって形成された凹部（２３）に被覆材料を流し込むことを特徴とする、請求項２７から３６のいずれか一つに記載の方法。
【請求項４１】
一つの接着層（３０）をラベルの少なくとも一面の上の除去可能な保護フィルムと固く結びつけることからなる少なくとも一つの補足的工程を含むことを特徴とする、請求項２６から４０のいずれか一つに記載の方法。
【請求項４２】
帯が複数のインターフェイスを有し、各装置を裁断する工程を含むことを特徴とする、請求項３２から４１のいずれか一つに記載の方法。
【請求項４３】
前記接着層が保護フィルムを備え、連続した帯状で供給され、装置が保護フィルムの上に留まったままで裁断され、装置の間で不要物の除去を行うことを特徴とする、請求項４１または４２に記載の方法。
【発明の詳細な説明】
【技術分野】
【０００１】
本発明は通信インターフェイスを含むチップ電子装置の分野とその製造方法に関するものである。本発明は特にインターフェイスがチップ・カードやマイクロ・モジュール・ラベルのように接触式及び／またはアンテナ式であるチップ式電子装置に関するものである。本発明が特に目指すのは、特に数メガヘルツから数ギガヘルツの周波数で５０ｃｍを超える距離で通信するに適した一時的にあるいは使い捨てで使用されるアンテナ式装置である。
【背景技術】
【０００２】
場合によってはラベルとして使えるチップ式およびアンテナ式モジュールを記載した国際出願ＷＯ９７／２６６２１は周知である。カードは、アンテナ・モジュールをカード本体の空洞に挿入して得られ、何枚かのラベルは、例えばコインのような任意の基板の中にアンテナ・モジュールの条件を設定して得られる。
【０００３】
これらのモジュールは一般にプリント回路と呼ばれるインターフェイス式フィルム基板を備え、その上にアンテナの形式の及び／又は接続域の形式の少なくとも一つのインターフェイスと、そのインターフェイスに接続されたチップのようなマイクロ回路と、マイクロ回路とその接続とを保護する被覆材料が配置されている。アンテナは、マイクロモジュールの片面、特にその裏面に取り付けられ、もう一つの面は場合によっては接続域を備えることができる。
【０００４】
インターフェイス式フィルム基板は、特に実際の製造方法で要求される程度の最低限の機械的特性を備えていなければならない。特に、コイルに巻かれるような柔軟性と共に、側面の穿孔に噛み合わされる突起で引き込むことを想定できるような不撓性と硬度とがなければならない。インターフェイス式フィルム基板の不撓性は、また、折り曲げれば壊れるほどのものである。
【０００５】
現在使用されているフィルム基板は、エポキシ・ガラス、ポリイミド、ポリエチレン・テレフタレート（ＰＥＴ）の中から選ばれる。それらの典型的な特性と特徴は次のようなものである；厚さ７５μｍから１２５μｍ、破断伸び７５％未満、耐熱強度最低でも１６０℃以上。
【０００６】
インターフェイス自体は一般的に銅製である。インターフェイス表面は硬く、トラックは一般的に細く（５０から２００μｍ）、数ミクロン程度の厳密な精度がある。インターフェイスは一般的にＮｉ−Ａｕタイプなどの表面処理が施され、それで更に硬度が増し、更に溶接適性が改良され、酸化から保護される。
【０００７】
上記出願によって得られる装置は本発明の目指す使用には余りに高価であるという欠点がある。更に用途が限られていて、以下に列挙する本発明の目的には対応していない。
【発明の概要】
【発明が解決しようとする課題】
【０００８】
本発明の主な目的は、接触式または非接触式、能動または受動のチップ式電子装置で、非常に経済的であり、にもかかわらず信頼性が高く、できるだけ工程が少なく、かつできるだけ標準的で経済的な技術を使用する製造方法が可能で、使いやすく場合によっては使い捨てできる電子装置を考案することである。
【０００９】
もう一つの目的は、上記の装置が更に好ましくは（受動装置では）５０ｃｍを超える距離で、（能動装置では）１ｍを超える距離で通信するに適した装置を考案することである。
【００１０】
もう一つの目的は、特にユーザーが簡単かつ直接プリントできるようなアンテナ式／または接触式モジュールを考案し、かつ経済的に製造することである。
【００１１】
もう一つの目的は、上記の装置が、多種多様な条件で多数の基板上で完全な信頼性で使用できるような装置を考案することである。
【００１２】
もう一つの目的は、接触式または非接触式のチップ式カードまたはチケットを考案し、かつ経済的に製造することである。
【００１３】
幾つかの目的は、全く異なった特性のインターフェイス式で、前記に示されたチップ・カードの分野のインターフェイス式フィルム基板に要求される特性に反するフィルム基板を使用しても達成されるが、ローラーの製造方法を採用し、ついで、その方法を、特にチップの接続のレベルに適合させて、フィルムの新しい特性を考慮に入れることによっても可能である。他の目的は以下に記述される装置の特別な構成で達成される。
【課題を解決するための手段】
【００１４】
その為に、本発明が目的とするチップ式電子装置は、まず、フィルム基板と前記フィルム基板上に配置された少なくとも一つの平面導電インターフェイスとを含むインターフェイス式フィルム基板と、並びに前記インターフェイスに接続されたマイクロ回路を有する。その特徴は、インターフェイス式フィルム基板が、劣化することなく皺をつけられたり折り曲げられたりするのに適した特性をもっていることである。
【００１５】
皺をつけたり全体を折り曲げたりするのに適したフィルム基板やインターフェイスを使って良好な成績が得られたのは、２．５ｍｍ未満、好ましくは１ｍｍ未満の曲率半径の場合である。
【００１６】
この規定は、現技術水準の及び／又は薄いインターフェイスと比べて同様に本質特性の劣化するインターフェイスに、現技術水準の及び／又は薄いフィルム基板と比べても同様に特性が本質的に劣化するフィルム基板を組み合わせた選択にも当てはまる。本発明においては、それぞれ（フィルム基板及び／又はインターフェイス）の特性は組み合わせで考慮されるべきである。それら特性は、その二つともが特に大幅に劣化する可能性があるし、または、一つの特性が非常に劣化するが、もう一つの劣化はそれほどでもないこともある。それぞれの厚みもまた、フィルム基板及びインターフェイスの材質の劣化の度合いに応じて多かれ少なかれ薄くすることができる。
【００１７】
このような配合と組み合わせによって、廉価で信頼性の高い装置を自由に扱うことができ、しかもその装置を様々な操作に耐えさせることができる。
【００１８】
はっきり述べておかなければならないのは、いくつかの場合には、例えば不撓性に関する劣化が最終製品の、例えば弾性に関するなどの他の品質を、付随的に発生させ製造上の困難さの原因となり得ることである。本発明で言う劣化とは、チップ・カードの分野で現在追求されている特性と比較してのことである。
【００１９】
一つの特徴によると、フィルム基板の厚みは７５μｍ未満で、最良の結果は１０μｍから３０μｍの厚みで得られる。
【００２０】
このような薄いフィルム基板で、本発明は、潜在的な価格低減効果で、材料を節約して得られるのみならず、特に最終装置を精巧にできることで、後述する新しい用途の可能性を提供できる。
【００２１】
本発明の他の特徴によると、フィルム基板の材質は、好ましくはポリマー製で８０％を超える破断伸びかつ／または８０未満のショア硬度かつ／または０℃未満のガラス転位温度Ｔｇかつ／または１３０℃未満の溶融温度のものであってよい。
【００２２】
好ましくは、フィルム基板はポリプロピレン（ＰＰ）、ポリエチレン（ＰＥ）、ポリエチレン・テレフタレート（ＰＥＴ）の中から選ばれるのが望ましい。他の場合には、例えばセルロースや繊維のような繊維材質を含んでいてもよい。
【００２３】
インターフェイスの金属は、好ましくは、Ｎｉ−Ａｕタイプのような硬化の為の表面処理を施されていない方がよい。厚みは好ましくは、５０μｍ未満。アルミニウムとその合金が材料として望ましい。
【００２４】
ＰＥ、ＰＰ等の材料は、有利にはチップ・カードとは異なった分野、つまり梱包用の長大なローラーで製造されるから、非常に経済的である。本発明がインターフェイス式フィルム基板を精錬する為の基礎として使用することを提案しているＰＥ／アルミニウムまたはＰＰ／アルミニウムの複合体もまた、特にヨーグルトの蓋、シャンペンの栓等の為の食料品用包装の分野で広く普及している。
【００２５】
他の特徴によれば、装置は、特にフィルム基板の角に、好ましくは巻き線の外部に配置したマイクロ回路を備えている。さらに好ましくは、フィルム基板の上に直接、マイクロ回路を配置することが望ましい。
【００２６】
装置は、アンテナ（６）の少なくとも一端をチップの近傍に導く為に、「ストラップ」と呼ばれるインターフェイス要素をもう一つの面に備えていることも望ましい。
【００２７】
従って、プリント表面の出来るだけ大きな部分を自由にしておき、チップはフィルム基板と接触した状態にして、後述する用途を目指した非常に精巧な装置をもつことができる。「ストラップ」を使用することは後に詳細に説明される興味深い解決策となる。
【００２８】
更に追加の特徴及び／または本発明の他の側面と実施態様により、本装置は、フィルム基板上に配置された補償フィルムを備え、前記補償フィルムは前記マイクロ回路とその接続部を納めた凹部を有することを特徴とする。
【００２９】
凹部はマイクロ回路とその接続部の被覆材料を含むことができる。被覆材料は、好ましくは少なくともその一部が凹部の内壁によって型枠にはめられているのが望ましい。
【００３０】
補償フィルムは従来技術で存在する他の全てのフィルム基板との関連で使用することができるが、本発明によって折り曲げるに適したインターフェイス式フィルム基板との関連で使用することに更なる利点が見いだせる。
【００３１】
補償フィルムは、後に明らかにする装置の製造における長所の他に、マイクロ回路の高さを補うという利点があり、特にマイクロ回路を劣化させることなく装置の全表面にプリントできるようにする為にそれを保護するという利点がある。
【００３２】
その機能は、装置の表面を平らにして、隆起のない装置を使えるようにし、場合によって、装飾用の他のフィルム及び／または粘着テープをマイクロ回路の上に受けるようにすることである。
【００３３】
それはまた、マイクロ回路を何らかの基板の上に特に補償フィルム上に配置された接着剤で固定する際にかかる圧力からマイクロ回路を保護する。
【００３４】
それはまた、特にインターフェイス式フィルム基板の機械的安定性の弱さを、多種多様な使用で補償することを可能にする。
【００３５】
それは最も多種多様な材料から選ぶことができ、任意の用途にも適合させることができて、しかも、だからといって後述する方法を変えずにすむことが可能である。
【００３６】
本発明は、本装置を備えたチップ式のチケットやカードも対象としている。好ましくはそれらは前記補償フィルムで構成されたカードやチケットの本体を含んでいることが望ましい。即ち、それらに凹部があって、その中にマイクロ回路が配置されていて、フィルム基板やインターフェイスは凹部の外の補償フィルムの表面に広がっているということである。
【００３７】
このようにして、場合によって、マイクロ回路の保護されたチップ・カードやチケットが得られる。
【００３８】
実施の変形によれば、凹部は、不貫通の又は付加フィルムで閉じられた空洞である。
【００３９】
本発明は又、チップ式電子装置の製造方法も対象にしており、該チップ式電子装置は、フィルム基板と少なくとも一つの平面インターフェイスと、及び前記インターフェイスに接続されたマイクロ回路とを含むインターフェイス式フィルム基板を有し、前記製造方法の工程は、少なくとも一つのインターフェイス式フィルム基板を供給し、少なくとも一つのマイクロ回路をインターフェイス式フィルム基板の上に固定し、それをインターフェイスに接続することからなる。この方法の特徴は、劣化することなく、皺をつけたり折り曲げたりするのに適した特性を有するインターフェイス式フィルム基板を供給することである。
【００４０】
インターフェイスは、好ましくは、予めフィルム基板の上に固定された一枚または複数の導電性表面上に、プリントまたはリトグラフされた模様の製版の経済的な技術で実現するのが望ましい。
【００４１】
そのようなフィルム基板とインターフェイスを選び、それだけでなくインターフェイス実現技術を選ぶことができるので、廉価なインターフェイス式フィルム基板を使用して、装置全体の価格を低減することができる。
【００４２】
本方法は、補償フィルムを前記インターフェイス式フィルム基板の上に固定するという工程があり、前記補償フィルムにはマイクロ回路の設置に対応する少なくとも一つの凹部があるという点で、本発明の、更にもう一つの特徴及び／又は他の側面及び実施態様によってもまた、特徴づけられる。
【００４３】
この工程は、従来技術で存在する他の全てのフィルム基板との関連で使用することができるが、本発明によって折り曲げるに適したインターフェイス式フィルム基板との関連で使用することに特に利点が見いだせる。
【００４４】
補償フィルムは、本方法の工程において特に牽引されて移動する途中で、更に機械的抵抗を受ける恐れのあるインターフェイス式フィルム基板を補強する。
【００４５】
それはまた、場合によっては各工程の間で、もしくは客先に引き渡す為に、フィルム基板を平らに巻くことも可能にする。そのようにして、後述する製造の様々な工程の間でプロテクターとして普通に使われている差し込み式フィルムを浪費する使い方が避けられる。
【００４６】
プリントの工程は、マイクロ回路を損傷することなく、装置の両側で行うことができる。
【００４７】
マイクロ回路とその接続部を被覆する場合には、補償フィルムの凹部は型枠としての機能を果たすことができる。
【００４８】
補償フィルムは、場合によっては、牽引や位置決めの突起の為の側面の穿孔を受け入れるのに役立ち、現在の牽引手段を使う時のコイルの条件設定ができるようにする。
【００４９】
補償フィルムは、本装置に様々の材料を組み合わせるのを可能にする。特にセルロースや、あらゆるポリマー材、繊維またはシート状の形の他の全ての材料を主成分とすることができる。
【００５０】
補償フィルム無しの他の実施態様では、帯状のインターフェイス式フィルム基板をローラーの上に供給して、フィルム基板の張力に従った移送手段を用いて本方法の工程に対応する少なくとも一つの作業位置、特にマイクロ回路の転写及び／又は場合によってはその被覆の位置に向けて移送する。
【００５１】
この配置のお陰で、最悪の場合、超柔軟かつ弾性のあるインターフェイス式フィルム基板をそのまま、損傷することなく、補償フィルムに頼ることなく、牽引用側面穿孔を必要とせず、その位置づけを妨害することなくかつ／又は本方法の様々な操作位置の前に指標を付けることなく運搬することができる。
【００５２】
更にもう一つの特徴により、導線の超音波溶接によってマイクロ回路を接続することができる。特に、埋め込み端子極用アルミ線またはアルミニウム製インターフェイスによる溶接を利用する。
【００５３】
この接続技術の使用は、信頼性が高く、広く使われていて経済的なので、特に好適である。後述するように、この処置方法には難しい問題があり、そのせいで、本発明による特性を有するインターフェイス式フィルム基板の上で使うことは禁じられていた。
【００５４】
更にもう一つの特徴により、両面にインターフェイス要素を備えたインターフェイス式フィルム基板を用いる。特に、各側にコンデンサの電機子を実現することができ、かつ／またはインターフェイスと同時に「ストラップ」を実現することができる。
【００５５】
従って、これらインターフェイス要素は既に上記に示したのと同じテクノロジーで同時に作ることができるので、インターフェイス要素の実現費用を低くする事ができる。他にも、経済的にはもっと高くつくが、独特の操作でコイルの上にブリッジで連結したり、または、目立たないようなコンデンサを付け加えるという代替方法もある。
【００５６】
更にもう一つの特徴により、フィルム基板の両側のインターフェイス要素を機械的な断裂や機械的接触によりフィルム基板を通して接続することもできる。場合によっては、これらの連結を超音波で固定することもできる。
【００５７】
インターフェイス式フィルム基板の薄さの選択と本発明による材質の選択によって、このような接続方法を利用することが可能になる。これは、材料の供給なしで行われ、装置の製造方法において隠蔽することのできる一工程で行うことができるので、特に好適で経済的である。
本発明の他の特徴と利点は、単に参考の為にのみ与えられた添付図面を参照しつつ行われる後述の記載で読み取れるであろう。
【図面の簡単な説明】
【００５８】
【図１】本発明によって簡素化された、無線周波数信号によって遠隔識別可能なラベルを示す図である。
【図２】図１のラベルのマイクロモジュールの位置での断面図である。
【図３】図２の変形を示す図である。
【図４】図１の変形を示す図である。
【図５】図４のラベルの裏面を示す図である。
【図６】接続域付きラベルの上面図である。
【図７】本発明によるカードの構造を示す図である。
【図８】カードの構造のもう一つの変形の断面図である。
【図９】本発明による発明の装置のもう一つの構造を示す図である。
【図１０】本発明の方法の実施の全体図である。
【図１１】チップ式およびアンテナ式のカード製造用の本発明の方法の実施の変形の全体図である。
【図１１Ａ】前図に示された方法によって得られたカードの構造を示す図である。
【図１２】本発明の装置を特徴付ける為の折り曲げテストを示す図である。
【発明を実施するための形態】
【００５９】
図１で、本発明によるチップ式電子装置の簡素化された実施例がチップ式およびアンテナ式の電子ラベルの形で示されている（自己インダクタンスおよびコンデンサ）。それは、フィルム基板１、この例では前記フィルム基板の上に縁から内側に螺旋状に配置された平面アンテナ３の巻線２で構成された平面導電インターフェイス、そして前記インターフェイスに接続された集積回路のチップのようなマイクロ回路４を含んでいる。アンテナは、それぞれ内と外に達する両端があり、それぞれが接点の埋め込み端子極５、６を形成している。接続は、この例では、連結線７、８で実現されている。
【００６０】
装置もまた、整合コンデンサを備えており、それはこの例では、フィルム基板の両側に向かい合って配置された導電表面９、１０で実現されている。場合によっては、コンデンサは、特にレーザーで行うことができるような穿孔または他の方法による表面部分の除去のような継ぎ目部分をもっていてもよい。他の場合には、目立たないコンデンサをフィルムの上に置いてもよいし、マイクロ回路の中に組み込んでもいい。
【００６１】
巻線の内側に位置するアンテナまたはコンデンサの電機子の一端の接点６を巻線の外側に位置する他のもう一端５に近づけるか、その逆を行う為に、回路要素１１、１２（ストラップ）をフィルム基板（図５）の裏側に配置するという方法もある。実際、「ストラップ」１１により、アンテナの少なくとも一端を、この場合は、ラベルの縁のアンテナの外側に位置するチップの設置場所の近傍にもっていくことが可能になる。下記に述べられた補償フィルムの場合、チップの位置は重要ではない。特に、巻線の内側で可能である。
【００６２】
本発明の一つの特徴によれば、被覆材料１３は少なくともマイクロ回路及び／又は接続線を、少なくとも機械的に保護するように、覆う。（図１、２の）例では、材料は、接続線を含むマイクロ回路の設置区域（ｚｐ）のみを覆っており、装置の残りの部分は裸のままになっている。
【００６３】
この例では、マイクロ回路区域は約４ｍｍ×５ｍｍに相当する表面積を占めており、一方、ラベルは合計で４０ｍｍ×４０ｍｍの表面積がある。
【００６４】
本発明によれば、インターフェイス式フィルム基板は、劣化せずに、皺をつけたり折り曲げたりするのに適した特性をもっている。
【００６５】
図１２は本発明の装置を特徴付ける為の折り曲げテストを示す。このテストにより、インターフェイス式フィルム基板はチップ区域の外側に、例えば二つ折りや四つ折りをして、対向する縁部１４、１５が互いに平らに接し、僅かな曲率半径Ｒで折り目を形成できなければならない。他の場合には、最低でも前述の曲率半径をもつ不規則な折り目を付けて、それを丸めたり皺くちゃにしたりできなければならない。
【００６６】
ここで劣化と言うのは、勿論、フィルム基板が壊れたり切れたりして巻線を支えるのに不適当になってしまうことを言う。更に、可塑的な変形のように変形する能力が大幅に失われ、それに続いて何回か折り曲げを繰り返すと断裂してしまうようになることも言う。インターフェイスについては、特に断面の縮小、あるいは断裂または数回（例えば１０回くらい）折り曲げると断裂してしまうような弾性の喪失によって、導電特性が失われる場合に、インターフェイスが劣化したということになる。
【００６７】
曲率半径Ｒが１ｍｍ未満、特に０．２ｍｍ未満の折り曲げに耐えられれば、望ましい製品が得られる。
【００６８】
このような性能を達成する為、８０％を超える破断伸びかつ／または８０未満のショア硬度かつ／または摂氏０℃未満のＴｇかつ／または１３０℃未満の溶融温度で、なおかつ厚みは７５μｍ未満の材質のフィルム基板を使用する。
【００６９】
最良の結果は１０μｍから３０μｍの厚みのフィルム基板で得られた。
【００７０】
実施例中のフィルム基板は、好ましくはカードやアンテナのモジュールで普通に使われているエポキシ・ガラスあるいはポリイミド等と比較して、ＰＰ、ＰＥのような非常に劣化した（低級で、性能の低い）特性をもつ、更にはそれほど低級でもないＰＥＴのようなフィルムである。
【００７１】
本発明によれば、インターフェイスは、また、適切な寸法及び／または特に可延性／弾性／硬度などの機械的特性が、フィルム基板のものと適合し、本発明の折り曲げテストを満足させるだけのものでなければならない。
【００７２】
実施例において、インターフェイスはアルミニウム製で、特にニッケル／金等での表面処理のされていないものである。厚みは５０μｍ以下で、好ましくは７から３０μｍ  の間が望ましい。
【００７３】
場合によっては、代替法により、フィルム基板が特にセルロースや織物のような繊維材質を含めることもできる。例えば単純に上記のような非常に僅かな厚みの紙製でもよい。織物の繊維材質は破れずに丸まり、可逆的に皺を伸ばせるような特性を備えている。
【００７４】
図３では、ラベルの全表面を覆う出来るだけ薄い層の保護材質１３を用いる。チップ区域（ｚｐ）から得られた厚みは４００μｍ未満とすることができ、特に１５０μｍ程度の厚みのチップ用には３００μｍ未満とすることができる。チップの外区域（ｚｈｐ）から得られた厚みは１５０μｍ未満、特に１００μｍ未満である。
【００７５】
図３の場合には、前述の本発明の基準を満たすある程度の弾性と柔軟性を保った保護材質が好まれる。いくつかのエポキシ樹脂やアクリル樹脂も適合することができる。
【００７６】
図２の実施例では、曲率半径０．５ｍｍで少なくとも百回程繰り返し折り曲げる実験を行ったところ、アンテナの上に被覆のないラベルで、問題はなかった。図３の実施例では、半径２ｍｍで他の折り曲げ実験を行ったが、上記ラベルの機能には影響がなかった。
【００７７】
このような操作は、従来技術のチップとインターフェイス式装置では不可能かつ／または得策でない。
【００７８】
本発明のラベルは、非常に薄くかつ／または非常に柔軟な製品に組み込む事ができ、その機械的特徴はその製品の機械的特徴に近いか、それを下回るものにすることができるため、視覚的にも触覚的にも感知できないという利点を備えている。得られた製品には、薄膜、さらにはタバコの葉のような触感を与えることができる。このような装置は、特に、繊維、革製の衣類の裏地、シート状、層状でフィルム状の製品、厚紙でできた製品や包装のような薄い製品に挿入できる、あるいは積み重ねられる目立たない電子装置として、用途を見いだすことができ、何よりも完全にラベルの代わりがつとまる。ラベルの形態の本発明の装置は、また、アンテナを例えば織布の上か包装フィルム自体の上に作って、その製品または包装を構成するフィルムの一部をなすことができる。
【００７９】
基板それ自体を薄くでき、繰り返し折り曲げることができる範囲において、本発明の装置は、その結果生じる変形に劣化なしに順応することができる。この事実から、そのような使用条件において、従来技術の装置よりも、高い信頼性で、識別機能を確保することができる。
【００８０】
図４では、フィルム基板１の連続した帯２４の上にインターフェイスが作られている。マイクロ回路は、フィルム基板の角に、しかも直接、その上に配置するのが好適である。ラベルの角でチップの位置付けを選択するのが望ましいが、それは操作に関連する機械的応力を減じる為であり、また、表面を出来るだけ広くプリントに使えるようにしておく為でもある。
【００８１】
帯２４はインターフェイスの周りに連続する導電枠（Ｃ）と、後述する方法の様々な作業の途中での、インターフェイスの位置測定と、指標／位置決めの為の照準点（ｐ）を含んでいる。導電枠によって、フィルム基板の帯を硬化させ、場合によっては、製版の費用と時間を減じることができる。帯の上に点線で描かれた仮想上の線は、本装置の境界を示す裁断線を示している。
【００８２】
アンテナの図は、選ばれた運転周波数に応じ、（非接触の場合）届く範囲を最適化する為に設計されている。
【００８３】
例においては、アンテナ２はフィルム基板上に、（受動的なつまり電池なしの場合）８ｃｍを超える距離で、好ましくは５０ｃｍを超える距離で、（能動的なつまり電池式の場合）１から２ｍを超える距離で通信できるように設計されている。巻線のサイズは最大限が選択されており、数は、予期された距離を達成するために最適化されている（一般には、約１３メガヘルツの周波数には、４から６巻きが必要である）。
【００８４】
巻線の間隔はアンテナの製造方法による。例では、巻線のピッチは１ｍｍで、一方、現在使われている装置ではむしろ０．０５ｍｍから０．４ｍｍのピッチが達成されている。
【００８５】
アンテナの両端をマイクロ回路につなぐ為に本発明はなるべく図５に見られるような「ストラップ」を備えた構成を利用する。
【００８６】
図示していない他の変形では、装置はコンデンサを備えているのが好ましいが、それはフィルムの両側の電機子の形式ではなく、チップに内蔵されたものである。このことによって、特にフィルムの厚みの変化に関連するコンデンサ値の変化から解放されるし、しばしばうんざりするようなアンテナの調整の手順から解放される。これはまた、フィルム基板が良い誘電体ではない場合にも、望ましい。
【００８７】
装置の簡素化を目指した図示していない特徴によると、フィルム基板は片側にのみ、インターフェイス要素を備えており、コンデンサはフィルム基板の上に乗せる事ができるし、またさらには前述したように、チップの中に置くこともできる。
【００８８】
アンテナに複数の巻線があり、比較的大きなピッチがある場合に、長大な接続線をもつことを避ける為に、マイクロ回路とその接続部の部分だけ局所的に、他よりも細い幅になるように巻線を設計することができる。
【００８９】
更に望ましくは、装置の最低限の厚さは保ちつつ接続線の長さを減らす為に、マイクロ回路を直接フィルム基板の上に、そして、それの周囲を通る巻線の間に配置することができる。上記のこの変形の特徴の数々を合わせることによって更に費用を減少させることができる。
【００９０】
マイクロ回路はまた、装置の高さとマイクロ回路の安定性を犠牲にして、巻線の上にも配置する事がてきる。
【００９１】
他の場合には、マイクロ回路をインターフェイス域の上に、安定性を高め、接着剤でよりよく接着するように、配置することもできる。
【００９２】
図６では、装置Ｄのインターフェイスは図面で見える面の上に、少なくとも接続域１６を含んでいるのが見える。マイクロ回路は別の面に配置されており、フィルムに開けられた穿孔によって、接続域に周知の方法で行き着くことができる。場合によっては、後述する補償フィルムの凹部にチップを組み込んでもよい。
【００９３】
実施例においては、それは大部分にわたって配置されたバーコード１７のようなプリントも備えており、接続部とチップはフィルム基板の縁の中にある。
【００９４】
変形においては、インターフェイスは同時に、接点とアンテナ（図示されていない）を備えることができる。アンテナは例えば図面上の目に見えない別の面に設置することができ、コンデンサはチップの中に設置できる。
【００９５】
図７においては、現行のＩＳＯ規格外のチップ・カード１８を見ることができる。それはカード基板１９の本体の上に配置されたフィルム基板２式装置（Ｄ）を含んでおり、その本体の寸法は、フィルム以上で、例えばフィルム基板２の二倍以上とすることができる。装置のチップを取り付けていない方の面は、好ましくは、カード１９の本体と接触していることが望ましい。マイクロ回路はカード１９の本体とは逆に上の方に向けられている。
【００９６】
カードにはまた二枚目のシート２０をフィルム基板の上に配置してもよく、その寸法はカード１９と同じか、もしくは装置だけを覆うものとすることができる。
【００９７】
好適な変形（図８の）によれば、カード１９は補償フィルムを構成している。それは閉じた凹部２１を含んでおり、その凹部に被覆されたマイクロ回路４が挿入され、インターフェイス式フィルム基板（１，２）がカード本体の表面の上で空洞の外に延びている。装置が空洞の外に延びていることは、インターフェイス式フィルム基板の薄さから、触感でも視覚的にも少しも煩わしくない。このようにして得られるカードはほぼ平らで、しかもマイクロ回路が空洞で保護されている。
【００９８】
他の特徴によると、本装置は更に、マイクロ回路内に非常用アンテナ及び／または内蔵コンデンサが配置されている付属の極小共振回路を備えており、インターフェイス式フィルム基板の上に配置されたアンテナまたはコンデンサが故障した際に補償を行うようになっている。このようにして、非接触で近傍から特殊な読取り装置を用いて、チップ内に保存された情報を取り戻すことが可能となり、このことが、更に装置の信頼性を高める。
【００９９】
この目的の為に、このマイクロ回路は、フィルム基板のアンテナ回路の故障の場合には、非常用アンテナを介して近傍で給電を受け、通信するのに適している。
【０１００】
図９では、装置はインターフェイス式フィルム基板の上に補償フィルム２２を配置したものであることがわかる。補償フィルムは、従来技術で周知のように、どのような種類のインターフェイス式フィルム基板の上にも配置することができるが、（上記に示したように）本発明による折り曲げたり丸めたりするのに適したものを使った方が、更に納得のいくものであるし、得でもある。
【０１０１】
補償フィルムには凹部２３があり、その中にマイクロ回路４と、その接続部７，８及び被覆材１３がある。凹部の内壁は被覆材と接触していて、少なくとも被覆材の一部に対して型枠を形成するようになっている。その厚さは好ましくは凹部２３がちょうどマイクロ回路とその被覆とを超えるくらいであるのが望ましい。
【０１０２】
補償フィルムの材質はどのようなものでもよいが、目指す用途の為には柔軟なものであるのが望ましい。例では、１５０μｍのチップと線による接続部には２００μｍの厚さのポリマー材ＰＥを使用した。そこで示されたところでは、５０μｍのチップとフリップ・チップ・タイプの、または「シルバー・グルー」タイプの導電性接着剤（特許出願第９７０４０９３号または第９７０４０９４号）による接続については５０μｍ未満の補償フィルムが使用可能であることが分かった。これは、この場合には、最大で１１０μｍのチップ式装置が入手できるということである。層２２はそれ自体、プリント可能である。
【０１０３】
装置はさらに少なくとも一つの保護／個別化層２０及び／または接着層２１をフィルム基板または補償フィルムの少なくとも一面の上に、備えることができる。
【０１０４】
このようにして実現されたラベルは、薄さと柔軟さを重視した最大限の秘密厳守性を備えた電子識別装置の機能に加えて通常のラベルの機能と仕上がりをすべて備えることができる。場合によっては、自動接着型接着フィルムを補償フィルムの上に配置し、凹部をラベル付けする物体に対して向け、そのようにしてチップの存在を隠蔽することができるようにすることもできる。
【０１０５】
変形においては、補償フィルムはそれ自体が周知のあらゆる種類の接着性塊であり、好ましくは厚い方がよく、取り外し可能な保護フィルムはあってもなくてもよい。この場合、その接着性塊自体が、少なくとも一部でマイクロ回路の高さを補う。
【０１０６】
ラベルは、特に（図９及び６の）シート２０の上にプリントされたバー・コードと集積回路のメモリーに保存されたものに対応するデジタル・コードによって二重識別できる。
【０１０７】
本発明の装置の製造法をこれから図１０、１１及び１１Ａを参照しつつ説明していく。
第一工程では、少なくとも一つの導電性平面インターフェイス２，９を備えた絶縁フィルム基板１を供給する。それは本明細書では、インターフェイス式フィルム基板と呼ばれる。
【０１０８】
それは周知の多種多様な方法、例えば、製版、導電性インク・シルクスクリーン、導電性材料の選択的接着、圧延金属の裁断およびフィルム基板上への圧延、プリント回路技術、絶縁基板上への導線のはめ込み等によって入手可能である。
【０１０９】
実施例では、また本発明の特徴によれば、特に圧延または押し出し成形によってフィルム基板上に予め固定された少なくとも一枚の導電性フィルムの上にプリントされ又はリトグラフされた模様の製版方法を利用するのが好まれる。このようにして場合によっては、フィルム基板の各面の上にインターフェイスを作ることができる。
【０１１０】
フィルム基板とインターフェイスは、その機械的特性や厚みについて上記の指示に従って選択される。金属フィルムの材質は、例では銅よりもアルミニウムが好まれているが、それは、銅よりも電気性能が劣るものの、価格と可延性が優れているからである。
【０１１１】
製版方法の選択は、トラックの覆い焼き用インクを使うことを前提としているが、それは製版の後に起きる撤去工程が高価である。溶接を可能にする為にマイクロ回路との接続の埋め込み端子極の場所は局所的に除くが、アルミニウムを酸化から保護しかつ美的観点からも、インターフェイスの上にこのインクを残しておく方が望ましい。局部的な撤去は、特に機械的研磨とレーザーによって実行しうる。
【０１１２】
変形例においては、弾性ポリマーを主成分とし、導電性インクのような金属粒子を充填された導電性物質でインターフェイスを形成することが可能である。ポリマー基剤の弾性は本発明の折り曲げ基準を満足させうる。定着は例えばシルクスクリーンで行うことができる。
【０１１３】
ついで、少なくとも一つのマイクロ回路をインターフェイス式フィルム基板の上に固定し、それをインターフェイスに接続する。
【０１１４】
作業の全体はまず、複数のインターフェイス（例えばアンテナ・モチーフ）を備え、ローラーまたは巻き軸２４の上に供給されるインターフェイス式フィルム基板の帯から実行することが望ましい。帯は、マイクロ回路４の固定２５、接続２６及び場合によっては被覆２７の実在する様々の作業位置に移送されていく。
【０１１５】
本発明によれば、フィルム基板が特に細く、壊れやすくまたは延びやすいので、フィルムの側面の穿孔に噛み合わさる突起で牽引する手段を使えない。本発明では、フィルムの特性に適合した移送手段を用いる。特にフィルム基板の張力に従属し、フィルム基板の張力の計測及び／又は調節手段を含む移送手段を用いて、引き延ばしによる損傷を避けるようになっている。牽引は、例えば牽引ローラー２８またはペンチによって行うことができる。
【０１１６】
実施例では、幅によってインターフェイスの二つのモチーフを示したが、特に機械的耐性と生産性の点で、より多くのモチーフのついた８０ｍｍを超える幅のものを使うことが好まれる。
【０１１７】
マイクロ回路の固定と接続
マイクロ回路の固定は、特に二成分接着剤、熱接着剤、光活性剤等、あらゆる手段で行うことができる。例では、特に定着の速さと、必要とされる温度水準が低いことと、そして省エネの必要性から、紫外線によって活性化しうる接着剤を使うことが好まれる。
【０１１８】
接続には、金線またはアルミ線による溶接、導電性接着剤の定着、あるいはマイクロ回路を裏返して使う「フリップ・チップ」タイプのもの等、多少なりとも確認済で出現中の様々な周知の方法が存在する。後の二つの場合には、被覆を無しですますことができ、接続の高さも低くて済む。
【０１１９】
本発明の一つの特徴によれば、マイクロ回路の接続は、好ましくはアルミニウム製の導線を選んで超音波溶接で行う。
【０１２０】
この技術は、（非常に柔軟かつ／またはたわみやすい）本発明のインターフェイス式フィルム基板には、先験的に禁止されている。実際、チップ・カードの分野では、導線の超音波溶接は、エポキシ・ガラス、ポリイミドを主成分とする硬く剛性のあるインターフェイス式シート基板やＮｉ−Ａｕタイプの表面処理された銅製のインターフェイスの為のものとされている。
【０１２１】
超音波溶接の現状の技術水準では、溶接用の線の出てくる尖った形の溶接器具を利用している。溶接の最中には、その先端をインターフェイスの金属埋め込み端子極やシート基板の上に置かれたシリコン・チップの金属埋め込み端子極に押し当てる。
【０１２２】
本発明者等の確認したところでは、通常使われているものの代わりに、（品質に応じて）ＰＥまたはＰＰ，更にＰＥＴ等のたわみやすい材質を主成分とし、約７５μｍを超える、例えば１００μｍの厚みのインターフェイス式基板に、超音波溶接を試みたところ当然失敗で、溶接が成り立たたないか、その質が工業の水準に達しないか、再現性がなかった。
【０１２３】
しかしながら、本発明者等は、ある程度の厚みの閾値に達する前で止めておくという条件で、工業的品質で再現性のある溶接を行うことに成功した。実際、この閾値以下では、材料が薄ければ薄い程、溶接もその分うまくいくことを、本発明者等は発見した。これは、非常に溶接しにくいアルミ線を使ってもその通りであった。
【０１２４】
この閾値は材質によっても異なるが、ＰＥとＰＰについては約７５μｍに定められている。
【０１２５】
溶接の再現性の改良は、少なくともフィルム基板の区域（溶接区域）を張りつけ、その上で溶接を硬い固定基準面の上で平たく行うことで実現された。
【０１２６】
フィルム基板は機械的手段または好ましくは吸引によって張りつけるのが望ましい。この後者の場合には溶接区域の周りの固定平面内に吸引回路を配置する。
【０１２７】
特に経済的な通常の接続技術を、本発明の場合で信頼できるものにするように、適合させることができる。
【０１２８】
マイクロ回路固定直後に、差し込みフィルム（図示されていない）をインターフェイス式フィルム基板の上に配置して、マイクロ回路を損傷することなく、正確に巻き取ることができるようにする。
【０１２９】
インターフェイス要素の結合
インターフェイス要素は、場合によってはフィルム基板の両側に配置されるが、その接続は、現状技術の様々な周知の方法によりフィルム基板を通して行われ、特に穴を導電性材料によって満たすことによるメタリック穴の製作、または放電などで行われる。
【０１３０】
しかしながら、本発明のフィルム基板とインターフェイスは薄く、既に述べたその特徴があるため、これらの接続は、穿孔または局部的断裂、型の打ち抜きとによる機械的作用で好適に行われ、更に好ましくは、非常に特殊な形態の道具を使用してリベット締めや超音波で行うこともできる。
【０１３１】
この実施方法は、材料の供給なしで行うことができるし、工程を容易に組み込むことができ、一般的にインターフェイス式装置またはフィルム基板の製造方法において隠れた時間で行うことができる点で特に経済的である。
【０１３２】
被覆工程
被覆工程については、マイクロ回路の設置区域の真上に被覆材料を位置づける、または、フィルム基板の全表面に広げることができる。最初の場合には、材料、例えば樹脂の一滴を垂らす。二番目の場合には、その材料を被覆加工やシルクスクリーン印刷等で、定着させることができる。好ましくは、噴霧によって定着させることが望ましい。
【０１３３】
接着剤及び樹脂、導電体または非導電体、ニスの重合は、熱の（温度の）供給で行うことができ、それは局在的なものでも、そうでなくてもよいし、かつ／または例えば紫外線等のある波長の放射、または二つの反応体の混合によるウォームアップを伴わなくても良い。
【０１３４】
被覆以外の目的の為のものも含めて接着剤及び／または樹脂の重合の全ての工程を、低温、特に８０℃未満の温度の急速な重合時間で実現する選択をしている。それらの工程は、紫外線照射の下で行われることもある。好ましくは、これらの工程は室温で行われることが望ましい。
【０１３５】
補償フィルムの固定工程
本発明の他の面と実施変形によって、図１０に示されるように、本方法には補償フィルム２２をインターフェイス式フィルム基板（１，２）の上に固定する工程がある。この補償フィルムにはマイクロ回路の設置に対応する少なくとも一つの穿孔２３がある。図１０に示された実施例では、複数の穿孔を有するローラー２９から出てきた帯２２共に圧延する。その為に好ましくは圧力を感知する接着剤及び／または非重合的接着剤を使うことが望ましい。
【０１３６】
この工程は、好ましくはマイクロ回路を固定する前に行うのが望ましい。マイクロ回路を固定し、または、接続し、または被覆する作業の後で共に圧延する、または補償フィルムを固定するのも可能ではあるが、より慎重を要する。
【０１３７】
既に前述したように、この工程は、どのようなインターフェイス式フィルム基板との関連でも行うことができるが、本発明による折り曲げに適したインターフェイス式フィルム基板に使うのが、より得であり有意義でもある。
【０１３８】
凹部は、巻き取り、保管等の後の工程においてマイクロ回路を保護する空間を規定するのに好適に役立ち、のみならず、作業２７で流し込まれる被覆材料の型枠としても役立つ。
【０１３９】
補足的工程
本方法はまた、ラベルの両面のうちの少なくとも一面の上に装飾、または保護または粘着の追加層３０を連結することからなる追加工程を含むことができる。実施例では、マイクロ回路の転写の後、保護フィルム付き粘着層３０を固定している。
【０１４０】
代わりの方法としては、例えば粘着性のもので、取り外し可能膜で保護された追加層を既に少なくとも一層もっているフィルム基板を供給することができる。
【０１４１】
裁断及び不要物除去、縦びきの工程
本方法の各工程においてフィルム基板を補強するという利点があるので、製版作業の後、装置の周りの連続枠（図４の枠ｃ）を残しておいてもよい。この枠は後で裁断により取り除くことになる。装置の裁断は、例えば押し抜き具を用いて、インターフェイス式フィルム基板の帯２４から乱雑に抜き出して行うことができる。
【０１４２】
他の場合には、帯またはローラーの上に維持された装置をそのままにしておくのが望ましい。その為に前もって、図４の帯２４の下に、取り除き可能な保護フィルムの付いた両面粘着テープを固定しておくことが望ましい。裁断は保護フィルムを切らないように行う。この時、不要物除去工程が裁断工程の後に続き、保護フィルムの上に粘着性の装置が残る。
【０１４３】
帯もまた望みの幅で長手方向に裁断される（縦びき）。
【０１４４】
このようにして、等間隔で並んだ任意のサイズの粘着ラベルを有するローラーを接着剤の保護ローラーの上に配置する。ラベルはどのような製品の上にも貼りつけることができる。他の場合には、一時的粘着力のある接着剤か再粘着性のない接着剤を用いるのであり、そうすることによって、本方法の全てをローラーの上で行うことができ、ローラーで装置、カード、チケット、非粘着性ラベル等を支給することができる。
【０１４５】
装置を納める大表面積の製品の実現
図１１で、例えば本発明のチップ・カードを作る。工程および参照記号は図１０のものと同じだが、但しローラー２４にはインターフェイス２のモチーフが一列だけしかない。補償フィルムはフィルム基板よりも大きな寸法のシートであり、穿孔は一列しかない。フィルム３０は常に保護の及び／または装飾のまたは随意の接着剤のフィルムである。
【０１４６】
気がつくのは、前述した通りに得たチケットやラベルについてと同様に、この方法によって確実にカードを巻き軸で処理することができることである。ローラーでの処理もまた条件設定やエンド・ユーザーへの引渡しにまで広げることができる。
【０１４７】
補償フィルムはどのような性質のものでもよいが、特に紙、革、織布または不織布繊維、ポリマー等である。実施例においては、補償フィルムは厚み２００μｍのＰＥであり、表面積は装置の表面積の二倍である。
【０１４８】
裁断の後、図１１Ａのチップ・カードが手に入る。場合によっては、フィルム３０と同等のフィルム２０を、穿孔２３を隠蔽するようにカード上に配置することができる。
【０１４９】
図８のカードを入手するには、同様に図１１に示された方法で行うが、違いは、場合によっては、被覆との固定および接続の工程の後で補償フィルムを共に圧延することである。その場合には凹部２３は貫通のものではなく、空洞２１を形成し、補償フィルムはその裁断の後、カード１９本体になる。
【０１５０】
念のために、図１０に関して述べたことは図１１にも当てはまることをはっきりさせておく。
【０１５１】
逆のやり方は図示されていないが、インターフェイス式フィルム基板よりも狭い補償フィルム２９を、特に後者の縁の部分で使うことができる。
【０１５２】
下記に、本発明者等が克服した幾つかの問題に関する補足を述べる。
目的が多岐にわたるということは、経費削減の目的とは両立しないため問題となる。
【０１５３】
多岐にわたる目的とは、インターフェイスとしての良い導電体をもつということを含んでいる（断面の丸い線は断面の長方形の裁断または板刻されたシートよりも良質の導電体である。銅はアルミニウムよりも良質の導電体であり、導電インクやペーストよりも際立って良質である）。
【０１５４】
それはまた、巻線の数を増やしたり、アンテナの表面積を大きくすることにもつながり、ひいては、回路の表面積も大きくして、かさばるものにしてしまうことにもなる。
【０１５５】
それはまた、トラックの寸法と精度を最適化することにもつながる（トラックが狭くなればそれだけ、アンテナの一本一本が接近し、一本一本のサイズが大きくなり、従って、フラックスが大きくなる）。
【０１５６】
インターフェイス式フィルム基板の特性を劣化させるような形で経費の問題を解決することは、上述のことに逆行する。
【０１５７】
更に、インターフェイス式フィルム基板（特にＰＥまたはＰＰおよびアルミニウム製）を非常に柔軟にしておくことにつながるような解決は特に以下の問題を引き起こす。
【０１５８】
実際の方法は、当然適合しているわけではなく、そのようなフィルム基板は半導体モジュールの製造で一度も使われたことがない。
【０１５９】
フィルム基板の柔軟性は、当然のこととして、シリコン・チップの硬さや、チップとその接続部の脆さとは両立しない。
【０１６０】
フィルム基板の柔軟性と薄さはローラーの形式で集合的に処理する上で不便になる。例えば、集合的な処理には、チップの転写や保護の工程で、更に詳しく言えば、線の溶接の為にも、非常に上手く位置決めしておくことが必要だということも含まれている。そのようなフィルム基板に牽引用の穿孔をつけることができないので、３５ｍｍのフィルムで可能だったような機械的案内手段がないのである。
【０１６１】
低級な導電材料（例えば、特にＮｉ−Ａｕタイプの特有の表面層のないアルミニウムや銅の）を使うことは酸化の問題によって更に増大する溶接性の問題を起こしてしまう。
【０１６２】
インターフェイス式フィルム基板の基礎となるものとして本発明者等が開発したＰＰまたはＰＥ／アルミニウム複合体は、金属の表面に残される印刷インクがついており、それは溶接することができない。それらを除去するのは費用がかかり、絶縁酸化物層の形成を引き起こす。
【０１６３】
低級なインターフェイス式フィルム基板を特に（Ｎｉのない）硬度で使うことは、材料をたわみやすくしておくことにつながり、それは既に前述した溶接の問題を引き起こす。更に、非常に柔軟な材料は一般に従来技術の方法で使われる温度では溶けてしまう。
【０１６４】
理想的な解決は、３５ｍｍの巻き軸から８０ｍｍを超える大きな幅の巻き軸を用いる現在の方法を採用することで得られる。
【符号の説明】
【０１６５】
１    フィルム基板
２    巻線
３    平面アンテナ
４    マイクロ回路
５、６    埋め込み端子極
７、８    連結線
９、１０    導電表面
１１、１２    回路要素（ストラップ）
１３    被覆材料
１６    接続域
１７    バーコード
１８    チップ・カード
１９    カード基板
２０    シート
２１    凹部
２２    補償フィルム
２３    凹部
２４    帯
２８    牽引ローラー
【先行技術文献】
【特許文献】
【０１６６】
【特許文献１】国際公開第９７／２６６２１号パンフレット
【図１】
0004618462.tif 000002
【図２】
0004618462.tif 000003
【図３】
0004618462.tif 000004
【図４】
0004618462.tif 000005
【図５】
0004618462.tif 000006
【図６】
0004618462.tif 000007
【図７】
0004618462.tif 000008
【図８】
0004618462.tif 000009
【図９】
0004618462.tif 000010
【図１０】
0004618462.tif 000011
【図１１】
0004618462.tif 000012
【図１１Ａ】
0004618462.tif 000013
【図１２】
0004618462.tif 000014